(57)【要約】【課題】本考案の目的は、免震性向上と同時に、施工性を改良した転倒防止シートの開発である。【解決手段】（１）弾性材料からなるシート材（あるいは弾性材料及び金属乃至プラスチックを積層したシート材）と、該シートと一体化した金属製乃至プラスチックス製球状体からなる転倒防止シートにおいて、弾性材料の表裏面に、高分子接着剤乃至高分子粘着剤が塗布されていることを特徴とする転倒防止シート。（２）（１）において、球状体は金属製乃至プラスチックス製リングの中に存在することを特徴とする転倒防止シート。【選択図】      図４
0003121815.tif 000002
【実用新案登録請求の範囲】
【請求項１】
弾性材料からなるシート材と、該シート材と一体化した金属製乃至プラスチックス製球状体とからなる転倒防止シートにおいて、
シート材に、高分子接着剤乃至高分子粘着剤が塗布されていることを特徴とする転倒防止シート。
【請求項２】
弾性材料と金属乃至プラスチックスを積層したシート材と  該シート材と一体化した金属製乃至プラスチックス製球状体とからなる転倒防止シートにおいて、
シート材に、高分子接着剤乃至高分子粘着剤が塗布されていることを特徴とする転倒防止シート。
【請求項３】
請求項１、２において、シート材の表裏面に、高分子接着剤乃至高分子粘着剤が塗布されていることを特徴とする転倒防止シート。
【請求項４】
請求項１、２において、球状体の径がシート材の厚みより小さいことを特徴とする転倒防止シート。
【請求項５】
請求項１、２において、球状体の径がシート材の厚みと同等乃至大きいことを特徴とする転倒防止シート。
【請求項６】
請求項１、２において、球状体は金属製乃至プラスチックス製ドーナツ型リングの中に存在することを特徴とする転倒防止シート。
【請求項７】
請求項１、２において、高分子接着剤乃至高分子粘着剤の塗布面保護のため、更に、
シリコン樹脂を塗布した紙乃至フィルムで保護したことを特徴とする転倒防止シート。  
【考案の詳細な説明】
【技術分野】
【０００１】
本考案は、免震性が付与された墓石や、顕彰碑などの構築物に使用される施工性の改良された転倒防止シートに関する。
【背景技術】
【０００２】
地震などにより墓石などが倒壊することは広く経験されるところである。このような墓石の倒壊防止のため種々の方法が提案されている。例えば、さお石を頂部として上台、中台、下台と積み重ねた墓石において、さお石の中腹部から上台、中台とを貫通し下台の中腹部に達する貫通孔を設け、該貫通孔に金属棒を嵌合し、金属棒と貫通孔との間には軟質材料の緩衝中空筒を介在させ、該緩衝中空筒の外径と貫通孔の内径とは緩く嵌合し、さお石と上台との接合面には互いの回転を阻止し固着する結合ピンを埋め込んだ墓石が開示されている（特許文献１）。
墓石ブロックを積み重ねた構造の耐震墓石であって、該墓石ブロックの間に弾性緩衝材存在することを特徴とする耐震墓石が開示されている（特許文献２）。
【０００３】
【特許文献１】特開２００５−１８０１３０号公報
【特許文献２】特開平１１−９３４６０号公報
【０００４】
しかし、従来の公知技術においては、構造が複雑であったり、構築物は、重量があるため、使用中に変形したりしてしまう。本考案においては、さお石乃至中間台と土台の間に金属球を使用した転倒防止用シートを挿入することにより免震性を付与するのであるが、墓石さお石は、重量があり、施工時に移動してしまうなどの問題点が発生した。
【考案の開示】
【考案が解決しようとする課題】
【０００５】
そこで本考案の目的は、免震性向上と同時に、施工性を改良した転倒防止シートの開発である。
【課題を解決するための手段】
【０００６】
すなわち、本考案の免震性構築物は、以下の特徴を有する。
（１）弾性材料からなるシート材と、該シートの内部に配した金属製乃至プラスチックス製球状体からなる転倒防止シートにおいて、
シート材に、高分子接着剤乃至高分子粘着剤が塗布されていることを特徴とする、
（２）弾性材料と金属乃至プラスチックスを積層したシート材と  該シートの内部に配した金属製乃至プラスチックス製球状体とからなる転倒防止シートにおいて、
シート材に、高分子接着剤乃至高分子粘着剤が塗布されていることを特徴とする、
（３）  （１）、（２）において、シート材の表裏面に、高分子接着剤乃至高分子粘着剤が塗布されていることを特徴とする転倒防止シート。
（４）  （１）、（２）において、球状体の径がシート材の厚みより小さいことを特徴とする、
（５）  （１）、（２）において、球状体の径がシート材の厚みと同等乃至大きいことを特徴とする、
（６）  （１）、（２）において、球状体は金属製乃至プラスチックス製ドーナツ型リングの中に存在することを特徴とする、
（７）  （１）、（２）において、高分子接着剤乃至高分子粘着剤の塗布面保護のため、更に、シリコン樹脂を塗布した紙乃至フィルムで保護したことを特徴とする。
【０００７】
本考案において、構築物とは、墓石、顕彰碑、記念碑など人が住む目的以外に作成された建造物をいうが、本考案の構築物の主要な対象は墓石である。本考案の対象である、墓石は通常、地面に近い部分にある墓石土台、上部にある墓石さお石から構成される。場合により、墓石土台と墓石さお石の間に墓石中間台が存在する場合もある。
【０００８】
本考案において、金属製乃至プラスチックス製球状体とは、金属乃至プラスチックスからなる球状体をいう。球状体に使用できる金属としては、好ましくは、アルミニウム、スズ、ハンダ、ステンレス、鉛、真鍮、銅、金メッキ・銀メッキした真鍮や銅をあげることができる。金・銀・白金などの貴金属は高価すぎるし、亜鉛などでは、使用中酸化しやすいからである。また球状体に使用できるプラスチックスとしては、ポリアミド、ポリエステル、ポリオレフィン、ポリアクリロニトリルなどをあげることができる。
【０００９】
本考案における、球状体とは、球、楕円球、角を丸くした立方体、角を丸くした円柱などをあげることができる。使用する球状体の径は半径が０．５〜２０ミリメートルが好ましい。０．５ミリメートルより小さいと弾性体の厚みが必然的に小さくなり、２０ミリメートルより大きくなると、効果が飽和するからである。本考案において、球状体を使用することにより、墓石さお石、墓石中間台の荷重を支えることが可能である。
【００１０】
本考案において、弾性材料からなるシート材に使用する弾性体としては、ウレタンエラストマー、ブチルゴム、ポリウレタン、シリコンゴム、スチレン・ブタジエン・アクリロニトリル系ゴムなどの合成ゴム、天然ゴムをあげることができる。
本考案において、弾性材料及び金属を積層したシート材に使用する金属としては、好ましくは、アルミニウム、スズ、ハンダ、ステンレス、鉛、真鍮、銅、金メッキ・銀メッキした真鍮や銅をあげることができる。また弾性材料及びプラスチックスを積層したシート材に使用するプラスチックスとしては、ポリアミド、ポリエステル、ポリオレフィン、ポリアクリロニトリルなどをあげることができる。
【００１１】
本考案において一体化したとは、シート材と球状体が相互に共同して転倒防止が可能な如き構造をいい、具体的には、シートの一部に欠落部を形成させ、この部分にドーナツ型金属リングや球状体を配した構造をあげることができる。
本考案において使用されるドーナツ型金属リングにおけるドーナツ型とは、円柱の中心部が欠落した構造の輪型の形状をいう。欠落部の径を球状体の径より大きくすれば、墓石土台上又は墓石中間台上で置いたとき、ドーナツ型金属リングの中心部に球状体を置くことが可能であり、結果としてドーナツ型金属リングは、球状体の移動防止壁となすことが可能となる。
【００１２】
ドーナツ型金属リングに使用される金属としては、好ましくは、スズ、ハンダ、ステンレス、鉛、真鍮、銅、金メッキ・銀メッキした真鍮、銅をあげることができる。
【００１３】
本考案において、転倒防止シートに使用される高分子接着剤乃至高分子粘着剤としては、デンプンのり、ポリビニルアルコール水溶液等の水溶性高分子、エポキシ樹脂、酢酸ビニル樹脂、アクリル樹脂、メタクリル樹脂、生ゴムなどのゴム系接着剤をあげることができる。
【００１４】
本考案の転倒防止シートにおいて、接着剤乃至高分子粘着剤を塗布した面を保護するため、シリコン樹脂を塗布した紙乃至フィルムで保護し、使用直前に紙乃至フィルムを剥離し使用することができる
【００１５】
本考案において、弾性材料乃至弾性材料と金属材料の積層品からなるシートは、好ましくは、青（緑）、赤、白、黒に着色される。四方の神を表す四神は、東（青龍）：青（緑）、南（朱雀）：赤、西（白虎）：白、北（玄武）：黒とされるからである。着色には、有機顔料、無機顔料、染料が使用できるが、一般には有機顔料、無機顔料が好ましい。無機顔料としては、青：群青など、赤：ベンガラなど、白：酸化チタン、酸化亜鉛など、黒：カーボンブラックなどを使用できる。有機顔料としては、アゾ顔料、フタロシアン顔料などを用いることができる。
【００１６】
本考案において、着色した弾性材料片と、該弾性材料片中に存在する金属球と、ドーナツ型金属リングから構成されている転倒防止用シートは、四個一組で使用され、各各は、青（緑）、赤、白、黒に着色されている。転倒防止用シートを施工するに際しては、青（緑）は東に、赤は南に、白は西に、黒は北に配置することができる。
【００１７】
このように配置することにより、ご本尊を東に「持国天」、南に「増長天」、西に「広目天」、北に「多聞天」がガードするように、余分な浮遊霊や邪悪なものが近づくのをガードすると信じられているのである。
転倒防止シートに、青龍、朱雀、白虎、玄武を表す絵柄を印刷したり、これら絵柄を印刷した紙を挿入したりして、より強力に余分な浮遊霊や邪悪なものが近づくのをガードさせることも可能である。
【考案を実施するための最良の形態】
【００１８】
図１は、弾性材シート５からなるシートの中央部に、ドーナツ型金属リング７を配し、該ドーナツ型金属リング７の中心に金属球６を置いた転倒防止シート８の平面図である。図２は、弾性シート５からなるシートの中央部に、ドーナツ型金属リング７を配し、該ドーナツ型金属リング７の中心に金属球６を置いた転倒防止シート８の、図１Ａ−Ｂ面における断面図である。弾性シート５の表裏面には接着剤層４が設けられおり、更に保護シート１０で保護されている。施工の際には保護シート１０は除去される。ここに金属球６の径は、弾性シート５の厚みよりやや大きい。
【００１９】
図３は、図２における弾性シート５の代わりに、弾性シート５と金属シート９を積層したシートを使用している場合の平面図であり、図４は、弾性シート５と金属シート９を積層したシートの中央部に、ドーナツ型金属リング７を配し、中心に金属球６を置いた転倒防止シートの、図３Ｃ−Ｄ面における断面図である。シートの表裏面には接着剤層４が設けられおり、更に保護シート１０で保護されている。施工の際には保護シート１０は除去される。ここに金属球６の径は、積層シートの厚みよりやや大きい。
【００２０】
図５は、墓石さお石３と墓石土台２からなる墓石１の参考図である。なお墓石土台２と墓石さお石３の間に墓石中間台（図示せず）を設ける場合もある。図６は、墓石土台２の上に転倒防止シートを４個配した状況を示す参考図である。なお、弾性体５、該弾性体の厚みより大きい寸法の径の金属球６、弾性体の厚みより小さい径のドーナツ型金属リング７を設けている。なお北側の位置の転倒防止シートは、弾性体は黒色、南側の転倒防止用シートは赤色、東側の転倒防止シートは青色、西側の転倒防止シートは顔料で白色に着色されている。図６において、墓石中間台、墓石さお石の荷重がかけられると、金属球６は変形して弾性体５の厚みと同じになる。
【００２１】
以上の説明によって明らかな様に、本考案による転倒防止シートは、以下に列挙した如き、実用上の好ましい効果を奏する。
（ａ）従来から存在する墓等の構築物に対し、土台と中間台の間、中間台とさお石の間などの間に挿入することで有効であり、地震などの災害から墓などの構築物を保護することが可能である。
（ｂ）施工中において、転倒防止シートが移動したりすることがないため、施工性が優れ、施工時間が短縮でき、作業効率をあげることができる。
（ｃ）転倒防止シートに使用する部材は環境に対する影響が少なく安全性が高い。
（ｄ）コストアップも少なく経済性に優れる。
【図面の簡単な説明】
【００２２】
【図１】弾性シートの中央部に、ドーナツ型金属リングを配し、中心に金属球を置いた転倒防止シートの平面図である。
【図２】弾性シートの中央部に、ドーナツ型金属リングを配し、中心に金属球を置いた転倒防止シートの、図１Ａ−Ｂ面における断面図である。
【図３】弾性シートの代わりに、弾性材料と金属材料との積層シーを使用している場合の平面図である。
【図４】弾性シートの中央部に、ドーナツ型金属リングを配し、中心に金属球を置いた転倒防止シートの、図３Ｃ−Ｄ面における断面図である。
【図５】墓石さお石と墓石土台からなる墓石の参考図である。
【図６】墓石土台の上に転倒防止シートを４個配した状況を示す参考図である。
【符号の説明】
【００２３】
１      墓
２      墓石土台
３      墓石さお石
４      接着剤層
５      弾性体シート
６      金属球
７      ドーナツ型金属リング
８      転倒防止シート
９      金属シート
１０    保護フィルム
Ａ、Ｂ  断面図の切断位置を示す。
Ｃ、Ｄ  断面積の切断位置を示す。
【図１】
0003121815.tif 000003
【図２】
0003121815.tif 000004
【図３】
0003121815.tif 000005
【図４】
0003121815.tif 000006
【図５】
0003121815.tif 000007
【図６】
0003121815.tif 000008
【手続補正書】
【提出日】平成18年3月2日(2006.3.2)
【手続補正１】
【補正対象書類名】実用新案登録請求の範囲
【補正対象項目名】請求項３
【補正方法】変更
【補正の内容】
【請求項３】
請求項１または２記載の転倒防止シートにおいて、シート材の表裏面に、高分子接着剤乃至高分子粘着剤が塗布されていることを特徴とする転倒防止シート。
【手続補正２】
【補正対象書類名】実用新案登録請求の範囲
【補正対象項目名】請求項４
【補正方法】変更
【補正の内容】
【請求項４】
請求項１または２記載の転倒防止シートにおいて、球状体の径がシート材の厚みより小さいことを特徴とする転倒防止シート。
【手続補正３】
【補正対象書類名】実用新案登録請求の範囲
【補正対象項目名】請求項５
【補正方法】変更
【補正の内容】
【請求項５】
請求項１または２記載の転倒防止シートにおいて、球状体の径がシート材の厚みと同等乃至大きいことを特徴とする転倒防止シート。
【手続補正４】
【補正対象書類名】実用新案登録請求の範囲
【補正対象項目名】請求項６
【補正方法】変更
【補正の内容】
【請求項６】
請求項１または２記載の転倒防止シートにおいて、球状体は金属製乃至プラスチックス製ドーナツ型リングの中に存在することを特徴とする転倒防止シート。
【手続補正５】
【補正対象書類名】実用新案登録請求の範囲
【補正対象項目名】請求項７
【補正方法】変更
【補正の内容】
【請求項７】
請求項１または２記載の転倒防止シートにおいて、高分子接着剤乃至高分子粘着剤の塗布面保護のため、更に、シリコン樹脂を塗布した紙乃至フィルムで保護したことを特徴とする転倒防止シート。  
【手続補正６】
【補正対象書類名】明細書
【補正対象項目名】０００６
【補正方法】変更
【補正の内容】
【０００６】
すなわち、本考案の免震性構築物は、以下の特徴を有する。
（１）弾性材料からなるシート材と、該シートの内部に配した金属製乃至プラスチックス製球状体からなる転倒防止シートにおいて、
シート材に、高分子接着剤乃至高分子粘着剤が塗布されていることを特徴とする、
（２）弾性材料と金属乃至プラスチックスを積層したシート材と  該シートの内部に配した金属製乃至プラスチックス製球状体とからなる転倒防止シートにおいて、
シート材に、高分子接着剤乃至高分子粘着剤が塗布されていることを特徴とする、
（３）  （１）または（２）記載の転倒防止シートにおいて、シート材の表裏面に、高分子接着剤乃至高分子粘着剤が塗布されていることを特徴とする、
（４）  （１）または（２）記載の転倒防止シートにおいて、球状体の径がシート材の厚みより小さいことを特徴とする、
（５）  （１）または（２）記載の転倒防止シートにおいて、球状体の径がシート材の厚みと同等乃至大きいことを特徴とする、
（６）  （１）または（２）記載の転倒防止シートにおいて、球状体は金属製乃至プラスチックス製ドーナツ型リングの中に存在することを特徴とする、
（７）  （１）または（２）記載の転倒防止シートにおいて、高分子接着剤乃至高分子粘着剤の塗布面保護のため、更に、シリコン樹脂を塗布した紙乃至フィルムで保護したことを特徴とする。